(57)【要約】【課題】本発明は、浴槽上に腰掛けて洗い場とすることができる浴槽用蓋および浴槽並びにユニットバスを提供することを目的とするものである。【解決手段】本発明は、浴槽５の開口縁が接する壁面８に、その一端が枢着されることで開閉自在とした洗い場として腰掛けて使用することができる浴槽用蓋部１を設け、更に浴槽用蓋部１の浴槽５側に、浴槽５内への流水を防止する洗い水堤防板４を備えた構成とする。【選択図】　　　図８
2004049423.tif 000002
【特許請求の範囲】
【請求項１】
浴槽上端開口部に、洗い場として腰掛けて使用することができる蓋部と、
該蓋部の浴槽側に、浴槽内への流水を防止する洗い水堤防板とを備える
ことを特徴とする洗い場として使用できる浴槽用蓋。
【請求項２】
前記洗い水堤防板を、水平上に角度調整自在とした
ことを特徴とする請求項１記載の洗い場として使用できる浴槽用蓋。
【請求項３】
浴槽上端開口部に、その一端が枢着されることで開閉自在とした洗い場として腰掛けて使用することができる蓋部と、
該蓋部の浴槽側に、浴槽内への流水を防止する洗い水堤防板とを備える
ことを特徴とする浴槽。
【請求項４】
前記洗い水堤防板を、水平状に角度調整自在とした
ことを特徴とする請求項３記載の浴槽。
【請求項５】
浴槽の開口縁が接する壁面に、その一端が枢着されることで開閉自在とした洗い場として腰掛けて使用することができる蓋部と、
該蓋部の浴槽側に、浴槽内への流水を防止する洗い水堤防板とを備える
ことを特徴とするユニットバス。
【請求項６】
前記洗い水堤防板を、水平状に角度調整自在とした
ことを特徴とする請求項５記載のユニットバス。
【請求項７】
前記壁面に蓋部および洗い水堤防板を収納する凹状収納部を形成した
ことを特徴とする請求項５又は６記載のユニットバス。
【発明の詳細な説明】
【０００１】
【発明の属する技術分野】
本発明は洗い場として使用できる浴槽用蓋及び浴槽並びにユニットバスに関する。詳しくは浴槽上に腰掛け洗い場として使用できる浴槽用蓋および浴槽並びにユニットバスに係るものである。
【０００２】
【従来の技術】
賃貸アパートやマンションなどの浴室は、設計上足を伸ばせるだけの面積を確保することができず、図９に示すように、限られた面積の中で洗い場１０１と浴槽１０２を設置しなければならず、その殆どの浴槽の大きさが足を折り曲げながら入らなければならないほどの窮屈な大きさでしかない。
【０００３】
従って浴槽も洗い場も充分な広さを確保することができず、窮屈な状態での洗髪、洗体および入浴が行われているのが現状である。
【０００４】
【発明が解決しようとする課題】
このような浴室にあっては、洗い場で洗髪や体を洗った後に、浴槽内に足を折り曲げながら入るものであるが、浴槽内で体を伸ばしたりすることができないために、充分に体をほぐすことができない問題がある。
【０００５】
又ホテルなどの浴室では、浴槽内でシャワーによる洗髪や洗体を行い、又は湯を入れての入浴を行っているが、日本人の多くは洗い場で椅子に腰掛けての洗髪や洗体になじんでいるがために、浴槽内で立った状態での洗髪や洗体を行うには非常に抵抗感があり、また高齢者の場合では危険性を伴なうなどの問題がある。
【０００６】
本発明は、以上の点に鑑みて創案されたものであって、浴槽上に腰掛けて洗い場とすることができる浴槽用蓋および浴槽並びにユニットバスを提供することを目的とするものである。
【０００７】
【課題を解決するための手段】
上記の目的を達成するために、本発明に係る洗い場として使用できる浴槽用蓋は、浴槽上端開口部に、洗い場として腰掛けて使用することができる蓋部と、該蓋部の浴槽側に、浴槽内への流水を防止する洗い水堤防板とを備える。
【０００８】
ここで、浴槽用蓋を洗い場として腰掛けて使用することができるような耐久構造とすることにより、限られた面積の浴室に対して足を伸ばせる大きさの浴槽の設置が可能となる。
【０００９】
また、上記の目的を達成するために、本発明に係る洗い場として使用できる浴槽は、浴槽上端開口部に、その一端が枢着されることで開閉自在とした洗い場として腰掛けて使用することができる蓋部と、該蓋部の浴槽側に、浴槽内への流水を防止する洗い水堤防板とを備える。
【００１０】
ここで、浴槽開口部には洗い場として腰掛けて使用することができるような耐久構造を有する蓋部の一端を開閉自在な状態で枢着することにより、洗う際に蓋部によって浴槽の一部を塞ぎ、蓋部に腰掛けて洗い場として使用することが可能となる。
【００１１】
また、上記の目的を達成するために、本発明に係る洗い場として使用できるユニットバスは、浴槽の開口縁が接する壁面に、その一端が枢着されることで開閉自在とした洗い場として腰掛けて使用することができる蓋部と、該蓋部の浴槽側に、浴槽内への流水を防止する洗い水堤防板とを備える。
【００１２】
ここで、浴槽の開口縁が接する壁面に、洗い場として腰掛けて使用することができるような耐久構造を有する蓋部の一端を開閉自在な状態で枢着することにより、洗う際には蓋部によって浴槽の一部を塞ぎ、蓋部に腰掛けて洗い場として使用することが可能となる。
【００１３】
【発明の実施の形態】
以下、本発明の実施の形態を図面を参酌しながら説明し、本発明の理解に供する。
【００１４】
図１に、本発明を適用した洗い場として使用できる浴槽用蓋の一例を説明するための斜視図を示す。ここで示す浴槽用蓋部１は、腰掛けた場合に掛かる重量に対して充分に耐え得る構造とした強化プラスチック製により形成される。
【００１５】
そこで浴槽用蓋部１は、腰掛けるのに必要な面積を有する大きさとするものであり、その３方周縁が浴槽の開口縁に嵌合される形状とした係留部２が形成され、浴槽内側に解放状とされる解放端３には、板状の洗い水堤防板４の基端が回動自在な状態で枢着された構成とするものである。
【００１６】
ここで、洗い水堤防板４は浴槽用蓋部１と同じく強化プラスチック製により形成され、洗い場として使用する際には直立状に回動調整することによって洗い水が、浴槽内へ流水するのを防止する。また浴槽用蓋部１を壁面などに立て掛ける場合には、洗い水堤防板４を浴槽用蓋部１と同一面状となるように水平状の回動調整をする。
【００１７】
図２に、本発明を適用した浴槽の一例を説明するための側面図、図３に図２における平面図を示す。ここで示す浴槽５は、例えば鋳物ホーローやポリプロピレン、アクリル製により形成されるものである。
【００１８】
そこで浴槽５の開口縁に、腰掛けた場合に掛かる重量に対して充分に耐え得る構造とした強化プラスチック製により形成される浴槽用蓋部１をヒンジ部６を介して連結枢支するものである。
【００１９】
従って浴槽用蓋部１の開閉によって自在に浴槽５上に洗い場を形成することができる構成とするものであり、浴槽用蓋部１の、浴槽内側に解放状とされる解放端３には、板状の洗い水堤防板４の基端が回動自在な状態で枢着された構成とするものである。
【００２０】
この洗い水堤防板４は浴槽用蓋部１と同じく強化プラスチック製により形成され、洗い場として使用する際には直立状に回動調整することによって洗い水が、浴槽内へ流水するのを防止する。また浴槽用蓋部１を壁面などに立て掛ける場合には、洗い水堤防板４を浴槽用蓋部１と同一面状となるように水平状の回動調整をする。
【００２１】
又浴槽用蓋部１は、腰掛けるのに必要な面積を有する大きさとするものであり、その３方周縁が浴槽の開口縁に嵌合される形状とした係留部２が形成されるものである。
【００２２】
図４に、本発明を適用したユニットバスの一例を説明するための正面図、図５に図４における平面図、図６に図４における側面図を示す。ここで示すユニットバス７は、強化プラスチックやアクリル製などの合成樹脂材より室内の壁面８および床面９などが一体的に形成されるものである。
【００２３】
ここで、浴槽５は床面９より一体的に形成される浴槽支持部１０内に嵌合され、壁面８に沿った状態で設置されるものである。
【００２４】
そして浴槽５に沿った壁面８に、浴槽用蓋部１及び洗い水堤防板４が直立した状態で収納できる凹状収納部１１を形成するものである。この凹状収納部１１の下端に、腰掛けた場合に掛かる重量に対して充分に耐え得る構造とした強化プラスチック製により形成される浴槽用蓋部１をヒンジ部６を介して連結枢支するものである。
【００２５】
また、浴槽用蓋部１は、腰掛けるのに必要な面積を有する大きさとするものであり、その３方周縁が浴槽の開口縁に嵌合される形状とした係留部２が形成されるものであり、更に浴槽用蓋部１の、浴槽内側に解放状とされる解放端３には、板状の洗い水堤防板４の基端が回動自在な状態で枢着された構成とするものである。
【００２６】
また、浴槽用蓋部１の係留部２が覆う浴槽５の開口縁と壁面８との間に、洗い場として使用したときに溢れる洗い水を浴槽５内へ流入させずに床面９の排水口１２に導く洗い水排水溝１３を形成するものである。
【００２７】
従って図７に示すように、入浴時には浴槽用蓋部１に対して洗い水堤防板４を同一面状に回動調整し、壁面８に形成される凹状収納部１１内に浴槽用蓋部１および洗い水堤防板４を跳ね上げて収納する。これにより床面９は入浴者Ａが立って移動できる広さがあればよく、これにより足が延ばせるだけの広さを有する浴槽５の設置が可能となる。
【００２８】
次に図８に示すように、洗う場合には、凹状収納部１１内より浴槽用蓋部１をヒンジ部６を枢支点として手前方向へ倒して浴槽５の約半分ほどを覆う、そして洗い水堤防板４を直立状に回動調整して浴槽５上に洗い場を形成する。
【００２９】
そこで浴槽用蓋部１上に入浴者Ａは腰掛けた状態で、浴槽５内の湯を使い、あるいはシャワーなどによって洗髪や体を洗うものであり、この際に浴槽用蓋部１上に落ちる洗い水は洗い水堤防板４によって浴槽５内への流水を防ぐと共に、溢れる洗い水を洗い水排水溝１３によって床面９の排水口１２より排水させるものである。
なお、洗う場合には洗い水堤防板４に沿って上部空間にシャワーカーテンを設ければさらに浴槽内への流水を防ぐことが可能となる。
【００３０】
ここで、浴槽用蓋部および洗い水堤防板は必ずしも強化プラスチック製により形成される必要性は無く、ポリプロピレン製やアクリル製などの合成樹脂板、あるいはステンレス製などの金属板などいかなるものであっても良いが、軽量、かつ衛生的であり、強耐性の優れた強化プラスチック製などの合成樹脂材によって形成される方が望ましい。
【００３１】
【発明の効果】
以上述べて来た如く本発明によれば、浴槽に対して洗い場として腰掛けられる浴槽用蓋部を使用することにより、限られた浴室面積に対する洗い場を浴槽上に確保することができるために、大型浴槽の設置が可能となる。
【００３２】
また、腰掛けられる浴槽用蓋部を枢着した浴槽を使用することにより、入浴時又は洗い時への変換が容易に行えることとなる。
【００３３】
腰掛けられる浴槽用蓋部と、この浴槽用蓋部が収納できる凹状収納部が設けられたユニットバスによって、浴槽内部および浴室の清掃の障害とならず、浴槽用蓋部が外れる危険性を排除することができる。
【００３４】
前記それぞれの浴槽用蓋部に洗い水堤防板を設けることによって、洗い水が浴槽内へ流入するのを防ぐことができる。
【図面の簡単な説明】
【図１】本発明を適用した洗い場として使用できる浴槽用蓋の一例を説明するための斜視図を示す。
【図２】本発明を適用した浴槽の一例を説明するための側面図を示す。
【図３】図２における平面説明図である。
【図４】本発明を適用したユニットバスの一例を説明するための正面図を示す。
【図５】図４における平面説明図である。
【図６】図４における側面説明図である。
【図７】本発明を適用したユニットバスの一例における入浴時の状態を示す斜視図である。
【図８】本発明を適用したユニットバスの一例における洗い時の状態を示す斜視図である。
【図９】従来の浴室の一例を示す説明図である。
【符号の説明】
１　　　浴槽用蓋部
２　　　係留部
３　　　解放端
４　　　洗い水堤防板
５　　　浴槽
６　　　ヒンジ部
７　　　ユニットバス
８　　　壁面
９　　　床面
１０　　浴槽支持部
１１　　凹状収納部
１２　　排水口
１３　　排水溝
【図１】
2004049423.tif 000003
【図２】
2004049423.tif 000004
【図３】
2004049423.tif 000005
【図４】
2004049423.tif 000006
【図５】
2004049423.tif 000007
【図６】
2004049423.tif 000008
【図７】
2004049423.tif 000009
【図８】
2004049423.tif 000010
【図９】
2004049423.tif 000011
【手続補正書】
【提出日】平成14年7月29日(2002.7.29)
【手続補正１】
【補正対象書類名】図面
【補正対象項目名】図７
【補正方法】変更
【補正の内容】
【図７】
2004049423.tif 000012
【手続補正２】
【補正対象書類名】図面
【補正対象項目名】図８
【補正方法】変更
【補正の内容】
【図８】
2004049423.tif 000013